(57)【要約】【課題】有利モードへの移行条件を満たしていない場合に特定演出が実行されても信頼感の低下を防止する。【解決手段】演出制御部は、ボーナスに当選した場合、第１演出決定テーブルを用いた演出抽選により実行する演出を決定し、決定された演出を実行する。実行された演出が特定演出であった場合、演出制御部は、実行された特定演出を第２演出決定テーブルに新規に割り当てる。第２演出決定テーブルは、ボーナスに当選しなかった場合に行われる演出抽選で用いられる演出抽選用ルックアップテーブルである。第２決定テーブルに特定演出が割り当てられると、この割り当て以降、ボーナスが当選していない場合であっても特定演出が実行されるようになる。【選択図】図４
2015096117.tif 000002
【特許請求の範囲】
【請求項１】
通常モードと、通常モードよりも遊技者にとって有利な有利モードとの少なくとも２種類の遊技モードで遊技が実行される遊技機において、
複数種類の演出のいずれかを行い、前記有利モードへの移行条件を満たしたか否かを報知するまでの過程を演出する演出手段と、
各々に演出が割り当てられた複数の記憶枠を有し、各記憶枠の各々の選択確率が定められた演出決定テーブルが格納されたテーブル記憶手段と、を備え、
前記テーブル記憶手段には、前記演出決定テーブルとして、前記記憶枠の少なくとも１つに特定演出が割り当てられた第１演出決定テーブル、及び、前記記憶枠のいずれにも前記特定演出が割り当てられていない状態を初期状態とした第２演出決定テーブルが記憶され、
前記演出手段は、前記有利モードへの移行条件を満たしている場合、前記第１演出決定テーブルを用いて実行する演出を決定し、前記有利モードへの移行条件を満たしていない場合、前記第２演出決定テーブルを用いて実行する演出を決定するとともに、
前記有利モードへの移行条件を満たし、かつ、前記特定演出が実行された場合に、前記第２演出決定テーブルの記憶枠の少なくとも１つに前記特定演出を割り当てるように、前記第２演出決定テーブルを更新するテーブル更新手段を備えたことを特徴とする遊技機。
【請求項２】
前記テーブル更新手段は、前記有利モードへの移行条件を満たしていない状態で前記特定演出が実行された場合に、実行された特定演出を前記第２演出決定テーブルから削除することを特徴とする請求項１記載の遊技機。
【請求項３】
前記テーブル更新手段は、所定の条件を満たした場合に、前記第２演出決定テーブルから前記特定演出を削除することによって前記第２演出決定テーブルを前記初期状態とする初期化を行うための初期化手段を備えたことを特徴とする請求項１または２記載の遊技機。
【請求項４】
前記第２演出決定テーブルには、前記記憶枠として、いずれの演出も割り当てられていない特別記憶枠が設けられており、
前記テーブル更新手段は、前記有利モードへの移行条件を満たし、かつ、前記特定演出が実行された場合に、前記特別記憶枠に対して前記特定演出を割り当てるとともに、
前記演出手段は、前記特別記憶枠にいずれの演出も割り当てられていない状態で、この特別記憶枠の演出を実行する旨の決定がなされた場合はいずれの演出も実行せずに、前記特別記憶枠に前記特定演出が割り当てられた状態で、この特別記憶枠の演出を実行する旨の決定がなされた場合に前記特定演出を実行することを特徴とする請求項１〜３いずれか記載の遊技機。
【請求項５】
前記テーブル記憶手段には、いずれの記憶枠にも前記特定演出が割り当てられていない第３演出決定テーブルが記憶されており、
前記演出手段は、前記有利モードへの移行条件を満たしていない状態で実行する演出を決定する場合に、前記第２、第３演出決定テーブルのいずれを用いるかを決定し、決定された演出決定テーブルを用いて実行する演出を決定することを特徴とする請求項１〜４いずれか記載の遊技機。
【発明の詳細な説明】
【技術分野】
【０００１】
本発明は、パチンコ店などの遊技場に設置されるパチンコ機やスロットマシンなどの遊技機に関するものである。
【背景技術】
【０００２】
パチンコ店などの遊技場に設置されるパチンコ機やスロットマシンなどの遊技機が広く知られている。これらパチンコ機やスロットマシンなどの遊技機では、通常モードと、通常モードよりも遊技者にとって有利な有利モードとの少なくとも２種類の遊技モードで遊技が実行される。
【０００３】
有利モードへは、抽選により大当たりとなったり、所定の遊技数を消化するなど予め設定された条件を満たしたことに基づいて移行する。例えば、パチンコ機では、遊技領域にパチンコ球を打ち出し、遊技領域を流下するパチンコ球が始動入賞口に入賞すると抽選が実行され、この抽選で大当たりとなると有利モードへと移行する。また、スロットマシンでは、メダルをベットして遊技を開始するとリールが回転を開始するとともに抽選が実行され、この抽選で有利モードへと移行させるための当選役が当選し（大当たりとなり）、かつ、この当選役が入賞すると（リールが停止した際にこの当選役に対応する図柄の組合せが表示されると）、有利モードへと移行する。さらに、遊技機の中には所定の遊技モードが終了すると自動的に有利モードへと移行するものや、前述した抽選とは異なる抽選（例えば、モード移行抽選に当選するなど）に当選した際に有利モードへと移行するものもある。
【０００４】
遊技機で遊技を行う遊技者は、有利モードで遊技することを目的として遊技を行うため、有利モードへの移行条件を満たしたか否かに大きな関心を払う傾向にある。このため、遊技機では、各種画像を表示する液晶ディスプレイ、各種音声を出力するスピーカ、ランプなどの電飾装置、モータやアクチュエータで可動する可動式の役物などの演出装置を設け、これら演出装置を駆動制御することによって、有利モードへの移行条件を満たしたか否かを報知するまでの過程を演出している（下記特許文献１参照）。
【０００５】
演出には、前述した各演出装置の制御内容をどのように設定するかによって無限の種類が存在するが、通常は、スケールの大きい演出（演出時間が長い、使用する演出装置の数が多い、主役級のキャラクタが登場する、メインの楽曲が出力されるなど）が実行された場合の方が、スケールの小さい演出が実行された場合よりも期待度が高くなるように設計されている（例えば、スケールの大きい演出が実行された場合は有利モードの移行条件を満たしている確率が８０％であるのに対して、スケールの小さい演出が実行された場合は有利モードの移行条件を満たしている確率が１０％となるように設計されている。）このため、有利モードへの移行条件を満たしている場合の方が満たしていない場合よりもスケールの大きい演出が実行される確率が高くなっている。
【先行技術文献】
【特許文献】
【０００６】
【特許文献１】特開２００８−１３６７４９
【発明の概要】
【発明が解決しようとする課題】
【０００７】
しかしながら、従来の遊技機では、期待度が高い演出（大当たりの確率が高い演出、スケールの大きな演出）が実行されたにもかかわらず有利モードへの移行条件を満たしていないと、この演出への信頼感が低下（遊技者が期待度の低い演出だと認識）してしまい、次回以降この演出が実行されても有利モードへの移行条件を満たしていることへの期待感を盛り上げることができなくなってしまうといった問題があった。
【０００８】
本発明は、上記背景を鑑みてなされたものであり、本来は実行されたときの期待度が高い演出が、有利モードへの移行条件を満たしていない場合に実行されても、この演出の信頼感の低下を防止できる遊技機を提供することを目的としている。
【課題を解決するための手段】
【０００９】
上記目的を達成するために、本発明の遊技機は、通常モードと、通常モードよりも遊技者にとって有利な有利モードとの少なくとも２種類の遊技モードで遊技が実行される遊技機において、複数種類の演出のいずれかを行い、前記有利モードへの移行条件を満たしたか否かを報知するまでの過程を演出する演出手段と、各々に演出が割り当てられた複数の記憶枠を有し、各記憶枠の各々の選択確率が定められた演出決定テーブルが格納されたテーブル記憶手段と、を備え、前記テーブル記憶手段には、前記演出決定テーブルとして、前記記憶枠の少なくとも１つに特定演出が割り当てられた第１演出決定テーブル、及び、前記記憶枠のいずれにも前記特定演出が割り当てられていない状態を初期状態とした第２演出決定テーブルが記憶され、前記演出手段は、前記有利モードへの移行条件を満たしている場合、前記第１演出決定テーブルを用いて実行する演出を決定し、前記有利モードへの移行条件を満たしていない場合、前記第２演出決定テーブルを用いて実行する演出を決定するとともに、前記有利モードへの移行条件を満たし、かつ、前記特定演出が実行された場合に、前記第２演出決定テーブルの記憶枠の少なくとも１つに前記特定演出を割り当てるように、前記第２演出決定テーブルを更新するテーブル更新手段を備えたことを特徴としている。
【００１０】
前記テーブル更新手段は、前記有利モードへの移行条件を満たしていない状態で前記特定演出が実行された場合に、実行された特定演出を前記第２演出決定テーブルから削除するものでもよい。
【００１１】
前記テーブル更新手段は、所定の条件を満たした場合に、前記第２演出決定テーブルから前記特定演出を削除することによって前記第２演出決定テーブルを前記初期状態とする初期化を行うための初期化手段を備えていてもよい。
【００１２】
前記第２演出決定テーブルには、前記記憶枠として、いずれの演出も割り当てられていない特別記憶枠が設けられており、前記テーブル更新手段は、前記有利モードへの移行条件を満たし、かつ、前記特定演出が実行された場合に、前記特別記憶枠に対して前記特定演出を割り当てるとともに、前記演出手段は、前記特別記憶枠にいずれの演出も割り当てられていない状態で、この特別記憶枠の演出を実行する旨の決定がなされた場合はいずれの演出も実行せずに、前記特別記憶枠に前記特定演出が割り当てられた状態で、この特別記憶枠の演出を実行する旨の決定がなされた場合に前記特定演出を実行するものでもよい。
【００１３】
前記テーブル記憶手段には、いずれの記憶枠にも前記特定演出が割り当てられていない第３演出決定テーブルが記憶されており、前記演出手段は、前記有利モードへの移行条件を満たしていない状態で実行する演出を決定する場合に、前記第２、第３演出決定テーブルのいずれを用いるかを決定し、決定された演出決定テーブルを用いて実行する演出を決定するものでもよい。
【発明の効果】
【００１４】
本発明は、有利モードへの移行条件を満たしているときに特定演出（例えば、スケールの大きな演出（本来は実行されたときの期待度が高い演出）であり、信頼感が低下してしまうことを防止したい演出））が実行されると、これを記憶し、この後、有利モードへの移行条件を満たしていない場合にも特定演出が実行されるようにした。すなわち、特定演出を、期待度が高い演出として遊技者の記憶に残してから、この特定演出を、有利モードへの移行条件を満たしていない場合に実行する。このため、この特定演出が開始された際に、有利モードへの移行条件を満たしていることへの期待感を盛り上げることができるだけでなく、この特定演出が終了して有利モードへの移行条件を満たしていないことが判明しても、有利モードへの移行条件を満たしているときに実行された演出であるという過去の経験（記憶）から、この特定演出に対する信頼感の低下を防止できる。
【００１５】
なお、過去に有利モードへの移行条件を満たしているときに実行された特定演出であっても、その後、有利モードへの移行条件を満たしていない場合に繰り返し実行されてしまうと、この特定演出に対する信頼感が低下してしまうが、有利モードへの移行条件を満たしていない場合に実行された特定演出を、有利モードへの移行条件を満たしていない場合に実行される演出から削除すれば、特定演出に対する信頼感の低下をより確実に防止できる。
【００１６】
さらに、特定演出が行われて過去に有利モードへの移行条件を満たしていたという経験は、遊技者が代わってしまうと意味の無いものになってしまう。つまり、最初の遊技者においては特定演出が行われて有利モードへの移行条件を満たしていたとしても、その後、遊技者が替わり、有利モードへの移行条件を満たしていない場合に特定演出が実行されてしまうと、特定演出に対する信頼感が低下してしまう。このため、所定の条件を満たした際に（例えば、有利モードへの移行条件を満たしているときに特定演出が実行されてから所定回数の遊技が行われたり、所定時間が経過したときなど）、有利モードへの移行条件を満たしていない場合に実行される演出から特定演出を削除すれば、特定演出に対する信頼感の低下をより確実に防止できる。
【図面の簡単な説明】
【００１７】
【図１】スロットマシンの外観図である。
【図２】スロットマシンの電気的な構成の概略を示すブロック図である。
【図３】第１〜第３演出決定テーブルを示す説明図である。
【図４】演出の実行及び第２演出決定テーブルの更新手順を示すフローチャートである。
【図５】態様の異なる第３演出決定テーブルを示す説明図である。
【図６】態様の異なる第２演出決定テーブルを示す説明図である。
【図７】第２演出決定テーブルの更新態様の別の例を示す説明図である。
【図８】第２演出決定テーブルの更新態様のさらに別の例を示す説明図である。
【発明を実施するための形態】
【００１８】
図１に示すように、スロットマシン（遊技機）１０は、収納箱１１と、前面扉１２とを備えている。収納箱１１には、後述する第１〜第３リール２０ａ〜２０ｃがユニット化されたリールユニットや、後述する払い出し口３２を介してメダル受け皿３４にメダルの払い出しを行うホッパ装置などが収納されている。前面扉１２は上扉１２ａと下扉１２ｂとに分割されており、これら上扉１２ａ及び下扉１２ｂはそれぞれ収納箱１１に軸着され、開閉自在に支持されている。
【００１９】
上扉１２ａには、液晶ディスプレイ（演出装置）１３、スピーカ（演出装置）１４、及び、表示窓１６が設けられている。液晶ディスプレイ１３は、各種演出画像を表示する。また、スピーカ１４は、各種演出音を出力する。スロットマシン１０は、これら液晶ディスプレイ１３、及び、スピーカ１４を制御することによって遊技を演出する。
【００２０】
表示窓１６の奥には、回転自在な第１リール２０ａ、第２リール２０ｂ、第３リール２０ｃが設けられている。各リール２０ａ〜２０ｃの外周面には複数種類の図柄が配列されており、各リール２０ａ〜２０ｃが停止すると表示窓１６を通して１リール当たり３個の図柄が表示される。そして、スロットマシン１０では、各リール２０ａ〜２０ｃが停止したときに表示された図柄の組み合わせによって当選役が入賞したか否かが報知される。
【００２１】
下扉１２ｂには、メダルを投入するメダル投入口２２、クレジットされたメダルをベットする際に操作されるベットボタン２４、遊技を開始する際に操作されるスタートレバー２６、回転しているリールを停止させるための第１〜第３ストップボタン３０ａ〜３０ｃ、メダルを払い出す払い出し口３２、払い出し口３２から払い出されたメダルを受けるメダル受け皿３４が設けられている。
【００２２】
スロットマシン１０は、メダル投入口２２にメダルを投入、または、クレジットされたメダルが存在する状態でベットボタン２４を操作することでメダルがベットされ、スタートレバー２６が有効化される。そして、有効化されたスタートレバー２６が操作されると、これに伴って遊技が開始される。
【００２３】
遊技が開始されると、当選役抽選が行われて複数種類の当選役のいずれか又はハズレが決定されるとともに、各リール２０ａ〜２０ｃが回転を開始する。この後、各リール２０ａ〜２０ｃが定常回転（一定速度で継続して回転する状態）となったことなどに基づいて、各ストップボタン３０ａ〜３０ｃの操作が有効化され、有効化されたストップボタン３０ａ〜３０ｃが操作されると、対応するリールの回転が個別に停止される。
【００２４】
そして、全てのリールが停止したときに、当選役抽選で決定された当選役に対応する図柄の組合せが表示されるとこの当選役が入賞となる。当選役抽選で決定される当選役は、リプレイ、小役、ボーナスの３種類に大別され、リプレイが入賞すると新たなメダルの投入無しに次回の遊技が可能となり、小役が入賞するとホッパ装置が作動されて入賞した小役の種類に対応した枚数のメダルがメダル受け皿３４に払い出され、ボーナスが入賞すると次回の遊技からボーナスモード（有利モード）での遊技が実行される。
【００２５】
図２に示すように、スロットマシン１０の内部には、スロットマシン１０の各部を制御することによって遊技の実行及び進行を制御するメイン制御基板５０と、液晶ディスプレイ１３及びスピーカ１４を制御することによって演出の実行及び進行を制御するサブ制御基板５２とが設けられている。
【００２６】
メイン制御基板５０とサブ制御基板５２とは、メイン制御基板５０からサブ制御基板５２へは遊技状態を示す情報など各種情報の送信が可能となっているが、サブ制御基板５２からメイン制御基板５０へは情報を送信できないようになっている（情報の通信はメイン制御基板５０からサブ制御基板５２への一方通行となっている）。
【００２７】
メイン制御基板５０には、リール駆動コントローラ５４が接続されている。リール駆動コントローラ５４は、メイン制御基板５０による制御のもと、各リール２０ａ〜２０ｃの回転を制御する。メイン制御基板５０は、遊技開始に伴って各リール２０ａ〜２０ｃの回転を開始させるとともに、ストップボタン３０ａ〜３０ｃが操作されると、操作されたストップボタンに対応するリールの停止制御を行う。停止制御においては、周知の引き込み制御や蹴飛ばし制御が行われる。
【００２８】
また、メイン制御基板５０には、前述した当選役抽選を行う当選役抽選部５６が設けられている。当選役抽選部５６は、遊技開始に伴って当選役抽選を実行する。そして、当選役抽選の結果をサブ制御基板５２に対して出力する。
【００２９】
サブ制御基板５２には、演出制御部（演出手段、テーブル更新手段）５８が設けられている。演出制御部５８には、当選役抽選の結果がメイン制御基板５０から入力される。演出制御部５８は、入力された当選役抽選の結果に基づいて演出抽選を行い、予め用意された複数種類の演出の中から実行する演出を決定し、液晶ディスプレイ１３及びスピーカ１４を駆動制御して演出抽選で決定された演出を実行する。
【００３０】
以下、演出制御部５８の具体的な構成、及び、演出制御部５８により演出が決定されて実行される手順について説明を行う。なお、本実施形態では、演出として、スケールの小さな演出（一般演出ａ及び一般演出ｂ）と、スケールの大きな演出（特定演出Ａ及び特定演出Ｂ）との合計４種類の演出が用意されている例で説明を行う。
【００３１】
また、本実施形態では、当選役抽選でボーナスが当選していない場合の演出モードとして、通常演出モードとフェイク演出モードとの２種類の演出モードを設けている。通常演出モードは、後述する第３演出決定テーブル６８を用いて実行する演出の種類を決定する演出モードであり、フェイク演出モードは、後述する第２演出決定テーブル６６を用いて実行する演出の種類を決定する演出モードである。
【００３２】
なお、通常演出モードとフェイク演出モードとの間のモード移行条件は自由に設定できるが、例えば、通常演出モードからフェイク演出モードへの移行条件としては、予め設定されたレア役（ボーナスと重複当選することが多い当選役であり、当選した場合にボーナスに当選したことへの期待度が高い当選役）が当選（または入賞）することや、通常モードにおいて所定回数の遊技が行われることなど各種の条件が考えられる。
【００３３】
また、フェイク演出モードから通常演出モードへの移行条件としては、ボーナスモードが終了すること（なお、ボーナスが当選している状態では後述する第１演出決定テーブル６４が用いられて実行する演出の種類が決定される）や、フェイク演出モードにおいて所定回数の遊技が実行されることや、前述したレア役以外の当選役が当選（または入賞）することなど各種の条件が考えられる。
【００３４】
このように、通常演出モードとフェイク演出モードとの間のモード移行条件は各種の条件が考えられ、本発明はこれらのいずれをモード移行条件としてもよい。ただし、モード移行条件と当選役抽選の結果との間に関連性が無いと、現在の演出モードから当選役抽選の結果を予想するなどといったことができず、現在の演出モードに遊技者が関心を示さなくなってしまう恐れがある。このため、モード移行条件は、当選役抽選の結果に関連する条件であることが好ましい。
【００３５】
図２において、演出制御部５８には、演出データ格納部６０と、演出決定テーブル格納部（テーブル記憶手段）６２とが設けられている。演出データ格納部６０には、演出を実行する際に読み出される画像データ及び音声データが格納されている。これら画像データ及び音声データは、前述した一般演出ａ及び一般演出ｂ、特定演出Ａ及び特定演出Ｂに対応付けされており、演出制御部５８は、実行する演出が決定されると、決定された演出に対応する画像データ及び音声データを演出データ格納部６０から読み出す。そして、読み出した画像データを液晶ディスプレイ１３に表示するとともに読み出した音声データをスピーカ１４から出力することによって、決定された種類の演出を実行する。
【００３６】
図３に示すように、演出決定テーブル格納部６２には、演出抽選（すなわち、実行する演出を決定する際）に用いる第１、第２、第３演出決定テーブル６４、６６、６８が格納されている。なお、各演出決定テーブル６４、６６、６８には、演出が割り当てられる記憶枠が設けられているが、この記憶枠は、内容の変更が行われるか否かによって２種類に区別されるので、以下では、内容の変更が行われない記憶枠を固定枠（記憶枠）７０、内容の変更が行われる記憶枠を変動枠（記憶枠、特別記憶枠）７２として説明を行う。
【００３７】
第１演出決定テーブル６４は、当選役抽選でボーナスが当選している場合に用いられる演出抽選用ルックアップテーブルであり、当選役抽選でボーナスが当選している場合は、毎遊技この第１演出決定テーブル６４を用いて実行する演出の種類が決定される。第１演出決定テーブル６４には、４つの固定枠７０が設けられており、各固定枠７０には、一般演出ａ、一般演出ｂ、特定演出Ａ、特定演出Ｂのいずれかが割り当てられている。また、第１演出決定テーブル６４では、各固定枠７０の選択確率（演出抽選で各記憶枠の演出が選択される確率）が規定されている。本実施形態では、一般演出ａが選択確率１０％、一般演出ｂが選択確率１０％、特定演出Ａが選択確率４０％、特定演出Ｂが選択確率４０％に規定されている。
【００３８】
第２演出決定テーブル６６は、当選役抽選でボーナスが当選しておらず、かつ、演出モードがフェイク演出モードである場合に用いられる演出抽選用のルックアップテーブルであり、当選役抽選でボーナスが当選しておらず、かつ、演出モードがフェイク演出モードである場合は、毎遊技この第２演出決定テーブル６６を用いて実行する演出の種類が決定される。第２演出決定テーブル６６には、２つの変動枠７２が設けられている。これら変動枠７２は、初期状態ではいずれの演出も記憶されていない空き領域となっており、第１演出決定テーブル６４を用いた演出抽選において特定演出Ａ及び特定演出Ｂのいずれかが選択されると、選択された特定演出が割り当てられる。また、第２演出決定テーブル６６では、各変動枠７２の選択確率が規定されている。本実施形態では、２つの変動枠７２に割り当てられた演出の選択確率がいずれも５０％に規定されている。
【００３９】
第３演出決定テーブル６８は、当選役抽選でボーナスが当選しておらず、かつ、演出モードが通常演出モードである場合に用いられる演出抽選用のルックアップテーブルであり、当選役抽選でボーナスが当選しておらず、かつ、演出モードが通常演出モードである場合は、毎遊技この第３演出決定テーブル６８を用いて実行する演出の種類が決定される。第３演出決定テーブル６８には、４つの固定枠７０が設けられており、これら固定枠７０には、一般演出ａ、一般演出ｂ、特定演出Ａ、特定演出Ｂのいずれかが割り当てられている。また、第３演出決定テーブル６８では、各固定枠７０の選択確率が規定されている。本実施形態では、一般演出ａが選択確率７０％、一般演出ｂが選択確率３０％、特定演出Ａが選択確率０％、特定演出Ｂが選択確率０％に規定されている。
【００４０】
なお、一般演出ａは、１つのみの態様の演出（初めから結末まで同一の態様の演出）に限定されない。つまり、一般演出ａの中には、例えば、サブキャラクタが地区予選を戦い、地区予選を突破するものと地区予選を突破できないもの、すなわち、結末が異なる複数種類の演出が含まれていてもよい。この場合、ボーナスに当選した場合に実行される一般演出ａ（すなわち、第１演出決定テーブル６４により決定される一般演出ａ）は、地区予選を突破するものとし、ボーナスに当選しなかった場合に実行される一般演出ａ（すなわち、第３演出決定テーブル６８により決定される一般演出ａ）は、地区予選を突破できないものとすればよい。もちろん、結末だけでなく、一般演出ａに、例えば、登場するサブキャラクタや、地区予選で戦う相手、地区予選の会場が異なるなど、途中の分岐が異なる複数種類の演出が含まれていてもよい。さらに、一般演出ａは、１遊技中に完結する演出に限定されず、複数回の遊技にまたがって実行されるもの（いわゆる、連続演出）であってもよい。
【００４１】
同様に、一般演出ｂ、特定演出Ａ、特定演出Ｂについても、途中や結末の異なる複数種類の演出が含まれていてもよい。また、一般演出ｂ、特定演出Ａ、特定演出Ｂは１遊技中に完結する演出に限定されず、連続演出であってもよい。ただし、特定演出は、一般演出よりもスケールの大きな演出であることが好ましい。よって、例えば、一般演出が、サブキャラクタが地区予選を戦うものである場合、特定演出を、メインキャラクタが全国大会を戦うものにするなど、一般演出と特定演出とのスケールを異ならせることが好ましい。
【００４２】
もちろん、上述した例に限定されず、一般演出ａ、一般演出ｂ、特定演出Ａ、特定演出Ｂのそれぞれには、演出開始から演出終了までの間に、一部の表示や音声が変化するものなど各種態様の演出が含まれる。
【００４３】
図４に示すように、演出制御部５８は、メイン制御基板５０から当選役抽選の結果が入力されると、ボーナスモードへの移行条件を満たしたか否か、すなわち、ボーナスに当選したか否かを判定する。そして、演出制御部５８は、ボーナスに当選した場合、第１演出決定テーブル６４を用いた演出抽選により実行する演出を決定し、決定された演出を実行する。
【００４４】
他方、演出制御部５８は、ボーナスに当選しなかった場合、現在の演出モードを判定し、現在の遊技モードがフェイク演出モードである場合、第２演出決定テーブル６６を用いた演出抽選により実行する演出を決定し、現在の演出モードが通常演出モードである場合は、第３演出決定テーブル６８を用いた演出抽選により実行する演出を決定し、決定された演出を実行する。
【００４５】
なお、演出制御部５８は、フェイク演出モードにおいて、第２演出決定テーブル６６の変動枠７２のうち、一部の変動枠７２にのみ特定演出が割り当てられている場合（すなわち、一部の変動枠７２が空き領域である場合）、特定演出が割り当てられている変動枠７２の演出を実行することが決定された場合にのみ、この変動枠７２に割り当てられている特定演出を実行させ、空き領域となっている変動枠７２の演出を実行することが決定された場合は、いずれの演出も実行しない。
【００４６】
ここで、いずれの演出も実行しないとは、スロットマシン１０の演出デバイス（液晶ディスプレイ１３やスピーカ１４、ランプなど）の全ての作動を停止させることとは異なり、第２演出決定テーブル６６の変動枠７２に割り当てられる可能性のある特定演出Ａや特定演出Ｂのいずれも実行しないことを示している。すなわち、演出には、演出抽選により実行することが決定されたときにのみ実行されるものと、演出抽選によらず、所定の動作に伴って実行されもの（例えば、メダルの投入に伴って投入音を鳴らしたり、操作部の操作に伴って操作音を鳴らしたり、遊技開始に伴ってキャラクタが歩き出すなどの所定の画像を表示したり、非遊技状態が一定時間以上続いた場合にデモンストレーション画面を表示したりランプの点灯態様を変化させるなど）とがあり、いずれの演出も実行しないとは、演出抽選で実行されることが決定されたときのみ実行される演出を実行しないことを示している（いずれの演出も実行しない場合であっても、所定の動作に伴って実行される演出については実行される場合がある）。
【００４７】
上述のように演出制御部５８は、第１〜第３演出決定テーブル６４〜６８のいずれかを用いて実行する演出を決定することに加え、変動枠７２へ、特別演出Ａや特別演出Ｂの割り当てを行う割り当て処理、及び、変動枠７２に割り当てられた特別演出Ａや特別演出Ｂの削除を行い変動枠７２を空き領域にする削除処理を行う。
【００４８】
割り当て処理は、第１演出決定テーブル６４を用いた演出抽選で特定演出Ａ、特定演出Ｂのいずれかが決定され、この特定演出が実行された際（すなわち、当選役抽選でボーナスが当選した状態で特定演出が実行された際）に実行される。割り当て処理において、演出制御部５８は、変動枠７２に空き領域が存在する場合は、第１演出決定テーブル６４を用いた演出抽選で決定、実行された特定演出を空き領域に割り当て、変動枠７２に空き領域が存在しない場合は、前記割り当てを行わずに割り当て処理を終了する。なお、本実施形態において、演出制御部５８は、空き領域が存在する場合、空き領域が１つであるか複数であるかに関わらず、１つの空き領域に対し、第１演出決定テーブル６４を用いた演出抽選で決定された特定演出を割り当てる。
【００４９】
他方、削除処理は、第２演出決定テーブル６６を用いた演出抽選で特定演出Ａ、特定演出Ｂのいずれかが決定され、この特定演出が実行された際（すなわち、当選役抽選でボーナスが当選していない状態で特定演出が実行された際）に実行される。削除処理において、演出制御部５８は、実行された特別演出を変動枠７２から削除して、この変動枠７２を空き領域に戻す。なお、本実施形態において、演出制御部５８は、実行された特定演出が複数の変動枠７２に割り当てられている場合であっても、１つの変動枠７２についてのみ前述した削除を行う。
【００５０】
前述のように、特定演出はスケールの大きな演出であり、このようにスケールの大きな演出には、遊技に対する興趣や期待感を盛り上げることができるように、開発・設計段階で大きな手間がかけられる。このため、特定演出の実行機会はできるだけ多くすることが好ましい。しかし、一方で、特定演出の実行機会をいたずらに増加させてしまうと、特定演出に対する信頼感が低下し、遊技に対する興趣や期待感を盛り上げることができずに開発・設計段階での手間が無駄になってしまうだけでなく遊技機の稼働率を低下させてしまう原因ともなってしまう。
【００５１】
特に、近年、演出を多様化して遊技に対する興趣を向上させるために、特定演出を含む演出の絶対数が増加している。また、演出個々の実行頻度は従来と同様に設定されている傾向にあり、このため、特定演出全体の実行頻度は特定演出の数が増えている分だけ増加してしまう傾向にある。ここで、ボーナスの当選確率を従来と同様にした場合、個々の特定演出における期待度が従来よりも低下してしまう。例えば、ボーナスが当選している場合の毎遊技における特定演出の実行頻度が３０％であり、特定演出の種類が２種類の場合は、この３０％を２種類の特定演出で分け合えばよいが、特定演出の種類が３種類となると、この３０％を３種類の特定演出で分け合わなければならない。このため、特定演出１つ当たりの実行頻度の平均は、特定演出が２種類の場合は１５％であるのに対し、特定演出が３種類の場合は１０％となってしまう。ここで、ボーナスが当選している場合の毎遊技における個々の特定演出の実行頻度が低下したので、特定演出個々の遊技全体における実行頻度を従来と同様とした場合、ボーナスが当選していない場合の毎遊技における個々の特定演出の実行頻度を上昇させる必要があり、結果として個々の特定演出が出現した場合における期待度（特定演出が実行されたときにボーナスに当選している確率）が低下してしまう。
【００５２】
上述のような問題に対し、本発明のスロットマシン１０では、当選役抽選でボーナスが１回も当選していない状態では特定演出を実行しない。そして、当選役抽選でボーナスが当選して特定演出が実行された場合に、このボーナス当選時に実行されたことによって信頼感が向上した特定演出を、当選役抽選でボーナスが当選していない状態でも実行するようにした。すなわち、遊技者の視点では、特定演出での当たり（ボーナス当選）を体験すること無しに特定演出でのハズレ（ボーナス非当選）を体験することが無い（特定演出でハズレとなる場合であっても、以前に当たりの体験をした特定演出でハズレとなる）。このように、本発明のスロットマシン１０によれば、当選役抽選でボーナスが当選していない状態で特定演出を実行する場合を設けることによって特定演出の実行機会を増加させながら、特定演出に対する信頼感の低下を防止できる。
【００５３】
また、上述のように、当選役抽選でボーナスが当選していない状態で特定演出が実行されても、この特定演出は以前にボーナスが当選した際に実行されたものであるため、この特定演出に対する信頼感の低下を防止できるものの、この特定演出が当選役抽選でボーナスが当選していない状態で繰り返し実行されると、この繰り返し毎に信頼感が低下してしまうといった問題がある。これに対して、本発明のスロットマシン１０では、当選役抽選でボーナスが当選していない状態で特定演出が実行された場合、この特定演出を演出決定テーブルの記憶枠（変動枠）から削除するようにした。すなわち、遊技者の視点では、１つの特定演出でのハズレが繰り返されることがない。このように、本発明のスロットマシン１０によれば、当選役抽選でボーナスが当選していない状態で特定演出が繰り返し実行されることがないので、特定演出の信頼感の低下を防止できる。また、開発・設計段階で想定した期待度と、遊技者の感じる信頼感との間に著しい乖離が生じるような挙動となってしまうこともない。
【００５４】
なお、本発明は、有利モードへの移行条件の少なくとも１つを満たした状態で実行された後に、実行された特定演出の実行確率や実行機会が向上すればよいので、細部の構成は上記実施形態に限定されず適宜変更できる。
【００５５】
例えば、上記実施形態では、有利モードがボーナスモードである例で説明をしたが、当選した小役を入賞させるための手順を報知するＡＴモードや、リプレイの当選確率が通常モードとは異なるＲＴモードや、ＡＴモードとＲＴモードとを組み合わせたＡＲＴモードなど、ボーナスモード以外の遊技モードが有利モードであってもよい。
【００５６】
また、上記実施形態では、有利モードの移行条件が、当選役抽選で当選し、かつ、入賞することの２つである例で説明をしたが、有利モードの移行条件の種類や数は自由に設定できる。有利モードの移行条件としては、前述した２つの条件以外に、演出抽選など当選役抽選以外の抽選に当選することや、所定の遊技数を消化することや、これら複数の条件を組み合わせるなど周知の各種条件を適宜設定できる。
【００５７】
さらに、上記実施形態では、演出において液晶ディスプレイやスピーカを用いる例で説明をしたが、例えば、モータやアクチュエータで可動する可動式の役物を演出に用いてもよい。また、ランプなどの電飾装置を用いて演出を行ってもよいし、リールの回転態様やリールを照明する照明態様などを制御することによって演出を行ってもよい。
【００５８】
また、上記実施形態では、第２演出決定テーブル６６の変動枠７２のうち、一部の変動枠７２に特定演出が割り当てられている場合、特定演出が割り当てられている変動枠７２の演出を実行することが決定された場合にのみこの変動枠７２に割り当てられている特定演出を実行させ、特定演出が割り当てられていない空き領域となっている変動枠７２の演出を実行することが決定されても演出を実行しない例で説明したが、本発明はこれに限定されるものではない。例えば、第２演出決定テーブル６６の変動枠７２のうち、一部の変動枠７２が空き領域である場合、この空き領域となっている変動枠７２については存在しないものとみなし、特定演出が割り当てられている変動枠７２の中から、演出抽選で演出を実行するか否かを決定してもよい。さらに、第２演出決定テーブル６６の全ての変動枠７２が空き領域である場合（すなわち、演出抽選を行ったとしても結果的に演出を実行しないことが確定している場合）、演出抽選を行わずに、いずれの演出も実行しない旨の決定を行ってもよい。
【００５９】
また、上記実施形態では、第２演出決定テーブル６６を用いた演出抽選において特定演出が決定された場合、この特定演出を第２演出決定テーブル６６から削除する例で説明をしたが、第２演出決定テーブル６６から特定演出を削除しないようにしてもよい。ただし、この場合は、第１演出決定テーブル６４を用いた演出抽選において特定演出が決定、実行された後、第２演出決定テーブル６６を用いた演出抽選において特定演出が繰り返し実行されてしまい、この特定演出の信頼感を低下させてしまうといった問題がある。そこで、第２演出決定テーブル６６から特定演出を削除しない場合は、第２演出決定テーブル６６を用いた演出抽選において決定、実行された特定演出の選択確率を低下させることが好ましい。具体的には、例えば、第２演出決定テーブル６６を用いた演出抽選において特定演出が決定された場合、この特定演出の選択確率を低下させ、他方の選択確率を増加（例えば、一方の選択確率を５０％から５％に低下させ、他方の選択確率を５０％から９５％に増加）させるように第２演出決定テーブル６６の内容を更新することが好ましい。なお、各選択確率の合算値が１００％となる例で説明したが、例えば、第２演出決定テーブル６６を用いた演出抽選において特定演出が決定された場合、この特定演出の選択確率を低下させ、他方の選択確率は維持する（例えば、一方の選択確率を５０％から５％に低下させ、他方の選択確率は５０％を維持することで、４５％の確率で演出が実行されない）ように第２演出決定テーブル６６の内容を更新してもよい。
【００６０】
また、特定演出が実行されて有利モードへと移行した場合であっても、この後に遊技者が代わってしまうと、初めて特定演出が実行されたにも関わらず有利モードへの移行条件を満たしておらず、この特定演出の信頼感が低下してしまう恐れがある。このため、遊技者が代わったと見なせる場合に（例えば、日付が代わったり、スタートレバーやストップスイッチなどが最後に操作されてから所定時間以上経過した場合や、非遊技状態が一定時間以上続いてデモンストレーション画面が表示された場合や、電源の投入や設定変更が行われた場合や、遊技者を検知するセンサにより遊技者が替わったことが検知されたなどの場合に）、第２演出決定テーブル６６を初期状態に戻す初期化を行ってもよい。この場合、演出制御部５８（図２参照）を、前記初期化を行う初期化手段として機能させればよい。なお、遊技者が代わったと見なせる場合に、前述した初期化に代えて特定演出の選択確率を低下させるように第２演出決定テーブル６６の内容を更新してもよい。また、前記初期化や前記更新を行うためのリセットボタンを設け、リセットボタンが操作された際に前記初期化や前記更新を行ってもよい。
【００６１】
さらに、上記実施形態では、演出決定テーブルとして、第１〜第３演出決定テーブルを設けた例で説明をしたが、演出決定テーブルの種類や数、内容については適宜変更できる。例えば、上記実施形態では、第１演出決定テーブル６４（図３参照）において、一般演出ａ及び一般演出ｂの選択確率が同じである例で説明をしたが、一般演出ａ及び一般演出ｂの選択確率が互いに異なっていてもよい。同様に、上記実施形態では、第１演出決定テーブル６４において、特定演出Ａ及び特定演出Ｂの選択確率が同じである例で説明をしたが、特定演出Ａ及び特定演出Ｂの選択確率が互いに異なっていてもよい。
【００６２】
また、上記実施形態では、第２演出決定テーブル６６（図３参照）において、２つの変動枠７２の選択確率が同じである例で説明をしたが、２つの変動枠７２の選択確率が互いに異なっていてもよい。
【００６３】
さらに、上記実施形態では、第３演出決定テーブル６８（図３参照）において、一般演出ａ及び一般演出ｂの選択確率が異なっている例で説明をしたが、一般演出ａ及び一般演出ｂの選択確率が同じであってもよい。
【００６４】
また、上記実施形態では、第３演出決定テーブル６８（図３参照）において、特定演出Ａ及び特定演出Ｂの選択確率を共に０％とする例で説明をしたが、例えば、図５に示す第３演出決定テーブル７８のように、特定演出Ａ及び特定演出Ｂの選択確率を０％以外としてもよい。なお、図５以降の図面を用いた説明では、前述した実施形態と同様の部材については同様の符号を付して説明を省略している。
【００６５】
図５において、第３演出決定テーブル７８は、前述した実施形態の第３演出決定テーブル６８（図３参照）と比較して、特定演出Ａ及び特定演出Ｂの選択確率が、それぞれ、５％に引き上げられている。この第３演出決定テーブル７８を用いることで、有利モードへの移行条件を１回も満たしていない状態であっても特定演出が実行される場合があり、この点においては、特定演出の信頼感を低下させてしまう恐れがある。しかし、有利モードへの移行条件を１回も満たしていない状態で特定演出が実行される確率は低いので、特定演出に対する信頼感の低下は最小限に抑えることができる。また、第３演出決定テーブル６８を用いた場合（有利モードへの移行条件を１回も満たしていない状態では特定演出が実行されない場合）、１回目に特定演出が実行された時点で有利モードの移行条件を満たしたことが確定（判明）してしまうといった問題があるが、第３演出決定テーブル７８を用いた場合、有利モードへの移行条件を１回も満たしていない状態であっても特定演出が実行されることがあるので、このような問題を防止できる。
【００６６】
また、上記実施形態では、割り当て処理を行う際に、空き領域が存在する場合、空き領域が１つであるか複数であるかに関わらず、１つの空き領域に対し、第１演出決定テーブル６４を用いた演出抽選で決定された特定演出を割り当てる例で説明したが、本発明はこれに限定されるものではない。例えば、第１演出決定テーブル６４を用いた演出抽選で決定された特定演出を、空き領域の全てに割り当ててもよい。なお、割り当て処理を行う際に、空き領域が存在しない場合、割り当て済みの特定演出のうち、先に割り当てられた（割り当てが古い）特定演出を削除し、新たに決定された特定演出を代わりに割り当ててもよいし、全ての変動枠７２に同一の特定演出を新たに割り当ててもよい。また、変動枠７２に空き領域が生じるまで、この特定演出を一時的に記憶する予備の記憶枠を設け、変動枠７２に空き領域が発生したときに、予備の記憶枠に記憶された特定演出を空き領域となった変動枠７２に割り当ててもよい。
【００６７】
また、上記実施形態では、削除処理を行う際に、第２演出決定テーブル６６を用いた演出抽選で実行された特別演出を変動枠７２から削除して、この変動枠７２を空き領域に戻す例で説明したが、本発明はこれに限定されるものではない。例えば、第２演出決定テーブル６６の複数の変動枠７２に同一の特定演出が割り当てられていた場合は、第２演出決定テーブル６６を用いた演出抽選で特定演出が決定、実行された場合、同一の特定演出が割り当てられている複数の変動枠７２の全てを空き領域に戻してもよい。
【００６８】
さらに、上記実施形態の第２演出決定テーブル６６（図３参照）では、初期状態として変動枠７２を空き領域とする例で説明をしたが、変動枠７２に一般演出のいずれかが割り当てられた状態を、初期状態としてもよい。このように、変動枠７２の一方が空き領域であり、変動枠７２の他方に一般演出が割り当てられている場合、第２演出決定テーブル６６を用いた演出抽選により他方の変動枠７２に割り当てられた一般演出を実行することが決定されると、この一般演出が実行される。
【００６９】
また、上記実施形態の第２演出決定テーブル６６（図３参照）では、変動枠７２のみが設けられている例で説明をしたが、図６に示す第２演出決定テーブル８６のように、変動枠７２に加えて固定枠７０を設けてもよい。図６において、第２演出決定テーブル８６では、固定枠７０と変動枠７２とが２つずつ設けられている。固定枠７０は、一般演出ａ及び一般演出ｂが割り当てられ、それぞれ選択確率が５％に規定されている。また、変動枠７２は、初期状態では空き領域となっており、それぞれ選択確率が４５％に規定されている。
【００７０】
また、上記実施形態では、第２演出決定テーブルの内容を変更する際に、１つの変動枠７２のみ内容の更新を行う例、すなわち、新規に特定演出を割り当てる際には、割り当てを行う変動枠７２のみ内容を変更し、特定演出を削除する場合も、削除する変動枠７２のみ内容を変更する例で説明をしたが、第２演出決定テーブルの内容を変更する際に、第２演出決定テーブル全体（または、全ての変動枠７２）の内容を一斉に変更してもよい。
【００７１】
以下、第２演出決定テーブル全体（または、全ての変動枠７２）の内容を一斉に変更する例について、図７（ａ）、（ｂ）を用いて具体的に説明を行う。なお、図７（ａ）は、第２演出決定テーブル９６の初期状態を示しており、同図（ｂ）は、初期状態で第１演出決定テーブルを用いた演出抽選により特定演出Ａが決定され、この特定演出Ａが実行された後の第２演出決定テーブル９６の状態を示している。
【００７２】
図７（ａ）に示すように、第２演出決定テーブル９６には、２つの変動枠７２が設けられている。変動枠７２の一方は、一般演出ａが割り当てられ、選択確率が６０％とされ、他方には、一般演出ｂが割り当てられ、選択確率が４０％とされている。この状態で、第１演出決定テーブルを用いた演出抽選により特定演出Ａが決定、実行されると、同図（ｂ）に示すように、特定演出Ａの選択確率が６０％となり、一般演出ａの選択確率が４０％となるように第２演出決定テーブル９６の内容が更新される。すなわち、特定演出Ａが図の上段に新規に割り当てられ、この特定演出Ａに押し出されるように一般演出ａが図の下段に割り当てられ、一般演出ａに押し出されるように一般演出ｂが第２演出決定テーブル９６から削除される。
【００７３】
なお、図７（ｂ）の状態で、第２演出決定テーブル９６を用いた演出抽選で特定演出Ａが決定、実行されると、図の上段に割り当てられた特定演出Ａが削除され、図の下段に割り当てられた一般演出ａが図の上段に戻り、図の下段には一般演出ｂが戻ることで、同図（ａ）の状態に戻る。
【００７４】
また、同図（ｂ）の状態で、第１演出決定テーブルを用いた演出抽選により特定演出が決定、実行されると、この特定演出が図の上段に新規に割り当てられ、この特定演出に押し出されるように特定演出Ａが図の下段に割り当てられ、特定演出Ａに押し出されるように一般演出ａが第２演出決定テーブル９６から削除される。
【００７５】
このように、本例では、第１演出決定テーブルを用いた演出抽選で特定演出が決定、実行されると、実行された特定演出が第２演出決定テーブル９６の上段に割り当てられ、この割り当てまで各段に割り当てられていた演出が順次１つ下の段に繰り下がる。また、本例では、第２演出決定テーブル９６を用いた演出抽選で特定演出が決定、実行されると、実行された特定演出が、第２演出決定テーブル９６から削除され、この削除により形成された空き段を埋めるように、この空き段よりも下の段に割り当てられた演出が順次１つ上の段に繰り上げられる。
【００７６】
なお、図７の例において、例えば、第２演出決定テーブル９６に特定演出Ａが割り当てられた状態で、第１演出決定テーブルを用いた演出抽選でさらに特定演出Ａが決定、実行された場合、前述した割り当てを行わないようにしてもよい。すなわち、第２演出決定テーブル９６に同一の特定演出が１つのみ割り当てられるようにしてもよい。
【００７７】
また、図７の例において、例えば、第２演出決定テーブル９６に特定演出Ａが割り当てられた状態で、第１演出決定テーブルを用いた演出抽選でさらに特定演出Ａが決定、実行された場合、第２演出決定テーブル９６に特定演出Ａが２つ割り当てられるようにしてもよい。すなわち、第２演出決定テーブル９６の複数の段に同一の特定演出が割り当てられるようにしてもよい。
【００７８】
なお、第２演出決定テーブル９６の複数の段に同一の特定演出が割り当てられた状態で、第２演出決定テーブル９６を用いた演出抽選により、この特別演出が決定、実行された場合、実行された特定演出１つのみを第２演出決定テーブル９６から削除してもよいし、実行された特定演出と同一種類の特定演出の全てを第２演出決定テーブルから削除してもよい。
【００７９】
また、上記実施形態では、第２演出決定テーブルの変動枠７２の内容が変化（演出の割り当ての有無や割り当てる演出の種類が変化）する例で説明をしたが、本発明はこれに限定されるものではない。変動枠７２の個数を変化させてもよい。
【００８０】
以下、図８（ａ）、（ｂ）、（ｃ）を用いて、第２演出決定テーブルの変動枠７２の個数を変化させる構成の具体例について、変動枠を増設する例で説明を行う。なお、図８（ａ）は、第２演出決定テーブル１０６の初期状態を示しており、同図（ｂ）は、初期状態で第１演出決定テーブルを用いた演出抽選により特定演出Ａが決定され、この特定演出Ａが実行された後の第２演出決定テーブル１０６の状態を示している。また、同図（ｃ）は、同図（ｂ）の状態で、第１演出決定テーブルを用いた演出抽選により特定演出Ｂが決定され、この特定演出Ｂが実行された後の第２演出決定テーブル１０６の状態を示している。
【００８１】
図８（ａ）に示すように、第２演出決定テーブル１０６には、初期状態では、１つの変動枠７２が設けられ、空き領域となっている。この状態で第１演出決定テーブルを用いた演出抽選により特定演出Ａが決定、実行されると、同図（ｂ）に示すように、特定演出Ａが変動枠７２に割り当てられて選択確率が１００％となる。さらに、同図（ｂ）に示す状態で第１演出決定テーブルを用いた演出抽選により特定演出Ｂが決定、実行されると、同図（ｃ）に示すように、変動枠７２が１つ増設され、２つの変動枠７２に特定演出Ａ及び特定演出Ｂが割り当てられて選択確率がそれぞれ５０％となる。
【００８２】
なお、図８（ｂ）の状態で、第２演出決定テーブル１０６を用いた演出抽選で特定演出Ａが決定、実行されると、同図（ａ）の状態に戻る。また、同図（ｃ）の状態で、第１演出決定テーブルを用いた演出抽選により、特定演出Ａや特定演出Ｂが決定、実行されると、変動枠７２が１つ増設され、この増設された３つ目の変動枠７２に実行された特定演出Ａまたは特定演出Ｂが割り当てられる。そして、このような増設を経て作成された３つの変動枠７２の選択確率がそれぞれ約３３％となる。
【００８３】
上述した図７、図８の例のように、第２演出決定テーブルの内容の変更には、第２演出決定テーブル全体（または、全ての変動枠７２）を変更する構成（図７参照）や、第２演出決定テーブルの変動枠７２の個数を変動させる構成が含まれる。なお、第２演出決定テーブル全体（または、全ての変動枠７２）を変更する具体的な構成や、第２演出決定テーブルの変動枠７２の変動枠７２の個数を変動させる具体的な構成については前述した２つの例に限定されず細部の構成については適宜変更できる。
【００８４】
なお、上記実施形態では、通常演出モードとフェイク演出モードとの２種類の演出モードを設ける例で説明をしたが、演出モードを設けず、有利モードへの移行条件を満たしたか否かで区別するようにして、上述した実施形態で説明した第３演出決定テーブルを廃止してもよい。この場合、有利モードへの移行条件を満たしている場合は、第１演出決定テーブルを用い、有利モードへの移行条件を満たしていない場合は、第２演出決定テーブルを用いて実行する演出の種類を決定すればよい。
【００８５】
以上のように、有利モードへの移行条件の少なくとも１つを満たした状態で実行された後に、この特定演出の実行確率や実行機会を向上させるための具体的な構成については、複数の構成が考えられ、これらのいずれを採用してもよい。もちろん、前述した複数の構成を組み合わせて用いたり、前述した複数の構成のいずれを用いるかを演出モードの種類に応じて異ならせてもよい。
【００８６】
また、上記実施形態では、演出として、２種類の一般演出（一般演出ａ及び一般演出ｂ）と、２種類の特定演出（特定演出Ａ及び特定演出Ｂ）とを設けた例で説明をしたが、一般演出や特定演出の種類や数、内容については適宜変更できる。
【００８７】
さらに、上記実施形態では、本発明をスロットマシンに適用する例で説明をしたが、本発明をパチンコ機に適用してもよい。本発明をパチンコ機に適用する場合も、本発明をスロットマシンに適用した場合と同様に、有利モードへの移行条件のうち少なくとも１つを満たした状態で実行された後に、実行された特定演出の実行確率や実行機会を向上させればよい。
【００８８】
また、本発明は、実物のリールを回転させるスロットマシンや、遊技領域に実物のパチンコ球を流下させるパチンコ機に限定されず、モニタに表示されたリールを回転させるスロットマシンや、モニタにパチンコ球が流下される画像を表示するパチンコ機など、モニタ上で実際の遊技を再現するタイプの遊技機に対しても適用できる。
【符号の説明】
【００８９】
１０  スロットマシン（遊技機）
１３  液晶ディスプレイ
１４  スピーカ
２０ａ〜２０ｃ  リール
５０  メイン制御基板
５２  サブ制御基板
５４  当選役抽選部
５８  演出制御部（演出手段、テーブル更新手段、初期化手段）
６０  演出データ格納部
６２  演出決定テーブル格納部（テーブル記憶手段）
６４  第１演出決定テーブル
６６、８６、９６、１０６  第２演出決定テーブル
６８、７８  第３演出決定テーブル
７０  固定枠（記憶枠）
７２  変動枠（記憶枠、特別記憶枠）
【図１】
2015096117.tif 000003
【図２】
2015096117.tif 000004
【図３】
2015096117.tif 000005
【図４】
2015096117.tif 000006
【図５】
2015096117.tif 000007
【図６】
2015096117.tif 000008
【図７】
2015096117.tif 000009
【図８】
2015096117.tif 000010